(57)【要約】【課題】オーバーサンプリングサンプルを用いて同期処理を実行する場合において、演算量を抑制しつつオーバーサンプリングサンプルと受信無線信号との誤差を低減できる受信装置及び同期処理方法を提供する。【解決手段】受信装置１００は、通信チャネル数に応じて受信データ単位ＤＵの配置位置が変更された並列受信データ系列Ｄ２を出力するオーバーサンプリングバッファ１３１を備える。並列受信データ系列は、受信データ単位ＤＵがサンプリングＦＦＴ部１３２に対して同一タイミングにおいて出力される出力方向a１と、受信データ単位ＤＵの受信時刻に沿った時間方向ａ２とによって構成される。出力方向a１に沿って隣接して配置される受信データ単位ＤＵ、及び時間方向ａ２に沿って隣接して配置される受信データ単位ＤＵは、受信データ系列Ｄ１上における時間間隔ｂ１、ｂ２が同一である。【選択図】図２
2009111791.tif 000002
【特許請求の範囲】
【請求項１】
複数の通信チャネルを含む受信無線信号がディジタル変換された受信データ系列をオーバーサンプリングすることによって生成されるオーバーサンプリングサンプルを用いて、前記受信データ系列の同期処理を実行する受信装置であって、
前記受信データ系列を蓄え、前記受信データ系列に含まれる受信データ単位が繰り返し用いられるとともに、前記通信チャネル数に応じて前記受信データ単位の配置位置が変更された並列受信データ系列を出力するバッファ部と、
前記バッファ部から出力された前記並列受信データ系列に対してフーリエ変換を実行することによって、前記通信チャネル毎に分離された前記オーバーサンプリングサンプルを生成するサンプリング部と、
前記サンプリング部から出力された前記オーバーサンプリングサンプルと参照信号との相関の程度に基づいて、前記通信チャネルにおける受信データ系列の同期処理を実行する同期処理部と
を備え、
前記並列受信データ系列は、
前記受信データ単位が前記サンプリング部に対して同一タイミングにおいて出力される出力方向と、
前記受信データ単位の受信時刻に沿った時間方向と
によって構成され、
前記出力方向に沿って隣接して配置される前記受信データ単位、及び前記時間方向に沿って隣接して配置される前記受信データ単位は、前記受信データ系列上における時間間隔が同一である受信装置。
【請求項２】
前記並列受信データ系列は、前記受信データ系列を構成する前記受信データ単位のみを繰り返し利用することによって形成される請求項１に記載の受信装置。
【請求項３】
前記出力方向に沿って隣接して配置される前記受信データ単位は、前記受信データ系列上において連続して位置する請求項１または２に記載の受信装置。
【請求項４】
前記時間方向に沿って隣接して配置される前記受信データ単位は、前記受信データ系列上における前記時間間隔が２受信データ単位である請求項１乃至３の何れか一項に記載の受信装置。
【請求項５】
前記バッファ部から出力された前記並列受信データ系列を取得し、特定の前記通信チャネルに応じた周波数帯域のみを通過させるフィルタ部をさらに備える請求項１乃至４の何れか一項に記載の受信装置。
【請求項６】
複数の通信チャネルを含む受信無線信号がディジタル変換された受信データ系列をオーバーサンプリングすることによって生成されるオーバーサンプリングサンプルを用いて、前記受信データ系列の同期処理を実行する同期処理方法であって、
前記受信データ系列を蓄え、前記受信データ系列に含まれる受信データ単位が繰り返し用いられるとともに、前記通信チャネル数に応じて前記受信データ単位の配置位置が変更された並列受信データ系列を出力するステップと、
出力された前記並列受信データ系列に対してフーリエ変換を実行することによって、前記通信チャネル毎に分離された前記オーバーサンプリングサンプルを生成するステップと、
前記生成するステップにおいて生成された前記オーバーサンプリングサンプルと参照信号との相関の程度に基づいて、前記通信チャネルにおける受信データ系列の同期処理を実行するステップと
を備え、
前記並列受信データ系列は、
前記受信データ単位が前記サンプリング部に対して同一タイミングにおいて出力される出力方向と、
前記受信データ単位の受信時刻に沿った時間方向と
によって構成され、
前記出力方向に沿って隣接して配置される前記受信データ単位、及び前記時間方向に沿って隣接して配置される前記受信データ単位は、前記受信データ系列上における時間間隔が同一である同期処理方法。
【発明の詳細な説明】
【技術分野】
【０００１】
本発明は、複数の通信チャネルを含む受信無線信号がディジタル変換された受信データ系列をオーバーサンプリングすることによって生成されるオーバーサンプリングサンプルを用いる受信装置及び同期処理方法に関する。
【背景技術】
【０００２】
従来、使用周波数帯などによって区分される複数の通信チャネルが用いられる無線通信方式、いわゆるマルチチャネル方式が用いられる受信装置では、通信チャネル毎に、受信無線信号に対する同期処理（周波数同期やシンボル同期）が実行される。
【０００３】
一般的に、このような受信装置では、同期処理の精度を向上させるため、Interpolator法に基づいて生成されたオーバーサンプリングサンプルが用いられる。具体的には、受信無線信号がディジタル変換された受信データ系列をオーバーサンプリングするとともに、受信データ系列をオーバーサンプリングすることによって形成された時間軸方向における空隙に、値が“０”であるサンプリングデータが挿入される。さらに、ローパスフィルタを用いて当該サンプリングデータが挿入された受信データ系列に含まれるイメージノイズを減衰させたオーバーサンプリングサンプルが生成される。
【０００４】
また、このような受信装置において、同期処理に関する処理量を低減する方法も提案されている。例えば、既知信号（プリアンブル）の電力スペクトル付近を含む周波数範囲（具体的には、最大値検索を実行する範囲）に限って同期処理を実行する方法が知られている（例えば、特許文献１）。
【特許文献１】特開２００３−２４４１１８号公報（第５頁、第１図）
【発明の開示】
【発明が解決しようとする課題】
【０００５】
しかしながら、上述した従来の受信装置における同期処理については、次のような問題があった。すなわち、Interpolator法に基づいて生成されたオーバーサンプリングサンプルが用いられる場合、値が“０”であるサンプリングデータの挿入に伴って高周波成分を含むため、所望のオーバーサンプリングサンプルを生成するためにはローパスフィルタの次数を高くしなければならず、演算量が増大するといった問題があった。
【０００６】
また、ローパスフィルタを用いて当該サンプリングデータが挿入された受信データ系列に含まれるイメージノイズを減衰させると、生成したオーバーサンプリングサンプルと、ディジタル変換される前の受信無線信号との誤差が増大し易いといった問題があった。
【０００７】
そこで、本発明は、このような状況に鑑みてなされたものであり、オーバーサンプリングサンプルを用いて同期処理を実行する場合において、演算量を抑制しつつオーバーサンプリングサンプルと受信無線信号との誤差を低減できる受信装置及び同期処理方法を提供することを目的とする。
【課題を解決するための手段】
【０００８】
上述した問題を解決するため、本発明は、次のような特徴を有している。まず、本発明の第１の特徴は、複数の通信チャネル（ＣＨ１〜ＣＨ８）を含む受信無線信号（無線信号ＲＳ）がディジタル変換された受信データ系列（受信データ系列Ｄ１）をオーバーサンプリングすることによって生成されるオーバーサンプリングサンプル（オーバーサンプリングサンプルＳ）を用いて、前記受信データ系列の同期処理を実行する受信装置（受信装置１００）であって、前記受信データ系列を蓄え、前記受信データ系列に含まれる受信データ単位（受信データ単位ＤＵ）が繰り返し用いられるとともに、前記通信チャネル数に応じて前記受信データ単位の配置位置が変更された並列受信データ系列（並列受信データ系列Ｄ２）を出力するバッファ部（オーバーサンプリングバッファ１３１）と、前記バッファ部から出力された前記並列受信データ系列に対してフーリエ変換を実行することによって、前記通信チャネル毎に分離された前記オーバーサンプリングサンプルを生成するサンプリング部（サンプリングＦＦＴ部１３２）と、前記サンプリング部から出力された前記オーバーサンプリングサンプルと参照信号との相関の程度に基づいて、前記通信チャネルにおける前記受信データ系列の同期処理を実行する同期処理部（チャネライザ１４１１〜１４１８）とを備え、前記並列受信データ系列は、前記受信データ単位が前記サンプリング部に対して同一タイミングにおいて出力される出力方向（出力方向a１）と、前記受信データ単位の受信時刻に沿った時間方向（時間方向ａ２）とによって構成され、前記出力方向に沿って隣接して配置される前記受信データ単位、及び前記時間方向に沿って隣接して配置される前記受信データ単位は、前記受信データ系列上における時間間隔（時間間隔ｂ１、ｂ２）が同一であることを要旨とする。
【０００９】
このような受信装置によれば、バッファ部から出力される並列受信データ系列は、受信データ単位がサンプリング部に対して同一タイミングにおいて出力される出力方向と、受信データ単位の受信時刻に沿った時間方向とによって構成される。また、出力方向に沿って隣接して配置される受信データ単位、及び時間方向に沿って隣接して配置される受信データ単位は、受信データ系列上における時間間隔が同一である。つまり、並列受信データ系列は、受信データ系列に含まれる受信データ単位を繰り返し用いることによって形成される。
【００１０】
すなわち、Interpolator法に基づいて生成されたオーバーサンプリングサンプルのように、受信データ系列をオーバーサンプリングすることによって形成された時間軸方向における空隙に、値が“０”であるサンプリングデータが挿入されることがない。このため、所望のオーバーサンプリングサンプルを生成するために必要となるローパスフィルタの次数を高くする必要がなく、オーバーサンプリングサンプルの生成に関する演算量を抑制できる。
【００１１】
また、ローパスフィルタを用いて値が“０”であるサンプリングデータが挿入された受信データ系列に含まれるイメージノイズを減衰させる必要がないため、生成したオーバーサンプリングサンプルと、ディジタル変換される前の受信無線信号との誤差を低減できる。
【００１２】
さらに、並列受信データ系列における受信データ単位は等間隔で配置されるため、サンプリング部におけるフーリエ変換の精度を高めることができる。
【００１３】
本発明の第２の特徴は、本発明の第１の特徴に係り、前記並列受信データ系列は、前記受信データ系列を構成する前記受信データ単位のみを繰り返し利用することによって形成されることを要旨とする。
【００１４】
本発明の第３の特徴は、本発明の第１または第２の特徴に係り、前記出力方向に沿って隣接して配置される前記受信データ単位は、前記受信データ系列上において連続して位置することを要旨とする。
【００１５】
本発明の第４の特徴は、本発明の第１乃至第３の特徴に係り、前記時間方向に沿って隣接して配置される前記受信データ単位は、前記受信データ系列上における前記時間間隔が２受信データ単位であることを要旨とする。
【００１６】
本発明の第５の特徴は、本発明の第１乃至第４の特徴に係り、前記バッファ部から出力された前記並列受信データ系列を取得し、特定の前記通信チャネルに応じた周波数帯域のみを通過させるフィルタ部（チャネルフィルタ部１５０）をさらに備えることを要旨とする。
【００１７】
本発明の第６の特徴は、複数の通信チャネルを含む受信無線信号がディジタル変換された受信データ系列をオーバーサンプリングすることによって生成されるオーバーサンプリングサンプルを用いて、前記受信データ系列の同期処理を実行する同期処理方法であって、前記受信データ系列を蓄え、前記受信データ系列に含まれる受信データ単位が繰り返し用いられるとともに、前記通信チャネル数に応じて前記受信データ単位の配置位置が変更された並列受信データ系列を出力するステップと、出力された前記並列受信データ系列に対してフーリエ変換を実行することによって、前記通信チャネル毎に分離された前記オーバーサンプリングサンプルを生成するステップと、前記生成するステップにおいて生成された前記オーバーサンプリングサンプルと参照信号との相関の程度に基づいて、前記通信チャネルにおける前記受信データ系列の同期処理を実行するステップとを備え、前記並列受信データ系列は、前記受信データ単位が前記サンプリング部に対して同一タイミングにおいて出力される出力方向と、前記受信データ単位の受信時刻に沿った時間方向とによって構成され、前記出力方向に沿って隣接して配置される前記受信データ単位、及び前記時間方向に沿って隣接して配置される前記受信データ単位は、前記受信データ系列上における時間間隔が同一であることを要旨とする。
【発明の効果】
【００１８】
本発明の特徴によれば、オーバーサンプリングサンプルを用いて同期処理を実行する場合において、演算量を抑制しつつオーバーサンプリングサンプルと受信無線信号との誤差を低減できる受信装置及び同期処理方法を提供することができる。
【発明を実施するための最良の形態】
【００１９】
次に、本発明の実施形態について説明する。具体的には、（１）受信装置の概略機能ブロック構成、（２）オーバーサンプリングバッファ及びサンプリング部の構成、（３）フィルタ部の構成、（４）受信装置の動作、（５）作用・効果及び（６）その他の実施形態について説明する。
【００２０】
なお、以下の図面の記載において、同一または類似の部分には、同一または類似の符号を付している。ただし、図面は模式的なものであり、各寸法の比率などは現実のものとは異なることに留意すべきである。
【００２１】
したがって、具体的な寸法などは以下の説明を参酌して判断すべきものである。また、図面相互間においても互いの寸法の関係や比率が異なる部分が含まれていることは勿論である。
【００２２】
（１）受信装置の概略機能ブロック構成
図１は、本実施形態に係る受信装置１００の概略機能ブロック構成図である。図１に示すように、受信装置１００は、無線信号処理部１１０、Ａ／Ｄ変換部１２０、オーバーサンプリングＦＦＴ部１３０、チャネライザ１４１１〜１４１８、タイミング制御部１４２１〜１４２８、及びディジタルベースバンド処理部１４３１〜１４３８を備える。
【００２３】
受信装置１００は、複数の通信チャネル（本実施形態では、８チャネル）を含む無線信号ＲＳ（受信無線信号）を対向する通信装置（不図示）から受信する。すなわち、受信装置１００は、いわゆるマルチチャネル方式が用いられる無線通信システムにおいて用いられる。
【００２４】
なお、以下、本発明と関連する部分について主に説明する。したがって、受信装置１００は、受信装置１００としての機能を実現する上で必須な、図示しない或いは説明を省略したブロック（電源部など）を備える場合があることに留意されたい。
【００２５】
無線信号処理部１１０は、アンテナ１１１を有し、無線信号ＲＳを対向する通信装置に送信したり、当該通信装置から送信された無線信号ＲＳを受信したりする。
【００２６】
Ａ／Ｄ変換部１２０は、無線信号処理部１１０と接続される。Ａ／Ｄ変換部１２０は、無線信号処理部１１０が受信した無線信号ＲＳに基づくアナログ信号のディジタル変換を実行する。具体的には、Ａ／Ｄ変換部１２０は、当該アナログ信号のディジタル変換を実行し、受信データ系列Ｄ１（図１において不図示、図２参照）を出力する。
【００２７】
オーバーサンプリングＦＦＴ部１３０は、Ａ／Ｄ変換部１２０から出力された受信データ系列Ｄ１を用いたオーバーサンプリング、及びオーバーサンプリングされた受信データ系列Ｄ１、すなわち、並列受信データ系列Ｄ２（図２参照）のフーリエ変換を実行する。
【００２８】
オーバーサンプリングＦＦＴ部１３０は、通信チャネル毎に分離されたオーバーサンプリングサンプルＳ（図２参照）をチャネライザ１４１１〜１４１８及びタイミング制御部１４２１〜１４２８にそれぞれ出力する。なお、オーバーサンプリングＦＦＴ部１３０のさらに具体的な構成については、後述する。
【００２９】
チャネライザ１４１１〜１４１８は、オーバーサンプリングＦＦＴ部１３０から出力されたオーバーサンプリングサンプルＳに基づいて、各通信チャネルにおける受信データ系列の同期処理を実行する。
【００３０】
タイミング制御部１４２１〜１４２８は、チャネライザ１４１１〜１４１８及びディジタルベースバンド処理部１４３１〜１４３８に供給される参照信号（Reference Signal）のタイミングを制御する。
【００３１】
ディジタルベースバンド処理部１４３１〜１４３８は、チャネライザ１４１１〜１４１８から出力された各通信チャネルにおける受信データ系列を用いてベースバンドにおける各種処理（例えば、ディジタル復調処理や復号処理）を実行する。なお、チャネライザ１４１１〜１４１８、タイミング制御部１４２１〜１４２８及びディジタルベースバンド処理部１４３１〜１４３８の具体的な構成については、後述する。
【００３２】
（２）オーバーサンプリングバッファ及びサンプリング部の構成
図２は、オーバーサンプリングバッファ及びサンプリング部を含むオーバーサンプリングＦＦＴ部１３０の構成図である。また、図２では、チャネライザ１４１１〜１４１８の構成も示されている。
【００３３】
図２に示すように、オーバーサンプリングＦＦＴ部１３０は、オーバーサンプリングバッファ１３１及びサンプリングＦＦＴ部１３２によって構成される。
【００３４】
オーバーサンプリングバッファ１３１は、Ａ／Ｄ変換部１２０から出力された受信データ系列Ｄ１を一時的に蓄える。受信データ系列Ｄ１は、Ａ／Ｄ変換部１２０から出力された直列のディジタルデータである。受信データ系列Ｄ１は、複数の受信データ単位ＤＵによって構成される。本実施形態において、オーバーサンプリングバッファ１３１は、バッファ部を構成する。
【００３５】
また、オーバーサンプリングバッファ１３１は、受信データ系列Ｄ１を蓄え、受信データ系列Ｄ１を用いて並列受信データ系列Ｄ２を生成する。具体的には、オーバーサンプリングバッファ１３１は、受信データ系列Ｄ１を順次読み込み、受信データ系列Ｄ１を構成する受信データ単位ＤＵの配置位置を変更する。
【００３６】
並列受信データ系列Ｄ２は、受信データ系列Ｄ１に含まれる受信データ単位ＤＵが繰り返し用いられる。例えば、図２において、「３」と表示された受信データ単位ＤＵは、並列受信データ系列Ｄ２において２回用いられる。また、「６」と表示された受信データ単位ＤＵは、並列受信データ系列Ｄ２において３回用いられる。
【００３７】
並列受信データ系列Ｄ２は、出力方向a１と時間方向ａ２とによって構成される並列のディジタルデータである。出力方向a１は、複数の受信データ単位ＤＵがサンプリングＦＦＴ部１３２に対して同一タイミングにおいて出力される方向である。例えば、「１」〜「８」と表示された受信データ単位ＤＵは、同一タイミングにおいてサンプリングＦＦＴ部１３２に出力される。
【００３８】
本実施形態では、無線信号ＲＳに含まれる通信チャネル数（８チャネル）に応じて出力方向a１における受信データ単位ＤＵの数が規定される。具体的には、無線信号ＲＳに含まれる通信チャネル数と同数の受信データ単位ＤＵが出力方向a１に沿って配置される。
【００３９】
時間方向ａ２は、受信データ単位ＤＵの受信時刻に沿った方向である。すなわち、時間方向ａ２では、時間軸ｔ上において古い受信データ単位ＤＵから新しい受信データ単位ＤＵが順次配置される（例えば、「１」，「３」、「５」，「７」…）。
【００４０】
また、本実施形態では、並列受信データ系列Ｄ２は、受信データ系列Ｄ１を構成する受信データ単位ＤＵのみを繰り返し利用することによって形成される。つまり、並列受信データ系列Ｄ２には、値が“０”であるサンプリングデータなどは含まれない。
【００４１】
さらに、本実施形態では、出力方向a１に沿って隣接して配置される受信データ単位ＤＵは、受信データ系列Ｄ１上における時間間隔ｂ１は同一である。具体的には、本実施形態では、出力方向a１に沿って隣接して配置される受信データ単位ＤＵ（例えば、「１」〜「８」）は、受信データ系列Ｄ１上において連続して位置する。つまり、時間間隔ｂ１は、１受信データ単位である。
【００４２】
また、時間方向ａ２に沿って隣接して配置される受信データ単位ＤＵも、受信データ系列Ｄ１上における時間間隔ｂ２は同一である。具体的には、本実施形態では、時間方向ａ２に沿って隣接して配置される受信データ単位ＤＵ（例えば、「１」，「３」、「５」，「７」…）は、受信データ系列Ｄ１上における時間間隔ｂ２が２受信データ単位である。
【００４３】
なお、並列受信データ系列Ｄ２において、網掛け表示された受信データ単位ＤＵ（１列目の「１」〜「８」、及び５列目の「９」〜「１６」）は、オーバーサンプリングを実行しない場合における受信データ単位ＤＵの配置を参考として示している。
【００４４】
サンプリングＦＦＴ部１３２は、オーバーサンプリングバッファ１３１から出力された並列受信データ系列Ｄ２に対してフーリエ変換を実行することによって、通信チャネル毎に分離されたオーバーサンプリングサンプルＳを生成する。具体的には、サンプリングＦＦＴ部１３２は、並列受信データ系列Ｄ２に対して高速フーリエ変換（ＦＦＴ）を実行し、並列受信データ系列Ｄ２を時間領域のデータから周波数領域のデータに変換する。
【００４５】
チャネライザ１４１１〜１４１８は、通信チャネル（ＣＨ１〜８）毎にチャネル相関器１４１Ａ及びピーク検出部１４１Ｂを有する。チャネライザ１４１１〜１４１８は、サンプリングＦＦＴ部１３２から出力されたオーバーサンプリングサンプルＳと、タイミング制御部１４２１〜１４２８から出力された参照信号との相関の程度に基づいて、各通信チャネルにおける受信データ系列の同期処理を実行する。本実施形態において、チャネライザ１４１１〜１４１８は、同期処理部を構成する。
【００４６】
具体的には、チャネル相関器１４１Ａは、タイミング制御部１４２１〜１４２８から出力された参照信号をオーバーサンプリングサンプルＳのサンプル時刻毎に遅延させて受信データ系列と参照信号との相関値を演算する。ピーク検出部１４１Ｂは、受信データ系列と参照信号との相関値が最大となる時刻遅延量を検出し、当該時刻遅延量に基づいて受信データ系列の同期時刻を決定する。
【００４７】
（３）フィルタ部の構成
図３は、受信装置１００に実装可能なチャネルフィルタ部１５０の構成例を示す。図３に示すように、チャネルフィルタ部１５０は、オーバーサンプリングバッファ１３１とサンプリングＦＦＴ部１３２との間に設けることができる。
【００４８】
チャネルフィルタ部１５０は、オーバーサンプリングバッファ１３１から出力された並列受信データ系列Ｄ２を取得し、特定の通信チャネルに応じた周波数帯域のみを通過させる。
【００４９】
本実施形態では、チャネルフィルタ部１５０は、Polyphase Partition構成のチャネルフィルタを有する。また、チャネルフィルタ部１５０は、時分割動作する回転スイッチ（不図示）によって、オーバーサンプリングバッファ１３１及びサンプリングＦＦＴ部１３２と接続される。なお、本実施形態では、オーバーサンプリングバッファ１３１が、チャネライザ１４１１〜１４１８及びタイミング制御部１４２１〜１４２８に共用されている。
【００５０】
（４）受信装置の動作
次に、受信装置１００の動作について説明する。具体的には、受信装置１００がオーバーサンプリングサンプルＳを用いて同期処理を実行する動作について説明する。図４は、受信装置１００がオーバーサンプリングサンプルＳを用いて同期処理を実行する動作フローを示す図である。
【００５１】
図４に示すように、ステップＳ１０において、受信装置１００は、受信データ系列Ｄ１をオーバーサンプリングバッファ１３１に格納する。
【００５２】
ステップＳ２０において、受信装置１００は、オーバーサンプリングバッファ１３１に格納した受信データ系列Ｄ１を読み出す。具体的には、受信装置１００は、受信データ系列Ｄ１に含まれる受信データ単位ＤＵの配置位置が変更された並列受信データ系列Ｄ２をオーバーサンプリングバッファ１３１から読み出す。
【００５３】
ステップＳ３０において、受信装置１００は、オーバーサンプリングサンプルＳを生成する。具体的には、受信装置１００は、オーバーサンプリングバッファ１３１から出力された並列受信データ系列Ｄ２に対してフーリエ変換を実行することによって、通信チャネル毎に分離されたオーバーサンプリングサンプルＳを生成する。
【００５４】
ステップＳ４０において、受信装置１００は、通信チャネル毎に分離されたオーバーサンプリングサンプルＳを出力する。
【００５５】
ステップＳ５０において、受信装置１００は、オーバーサンプリングサンプルＳに基づいて、各通信チャネルにおける受信データ系列の同期処理を実行する。具体的には、受信装置１００は、オーバーサンプリングサンプルＳと参照信号との相関の程度に基づいて、各通信チャネルにおける受信データ系列の同期処理を実行する。
【００５６】
また、ステップＳ５１において、受信装置１００は、オーバーサンプリングサンプルＳに基づいて、各通信チャネルにおける受信データ系列の受信処理（ディジタル復調処理や復号処理など）を実行する。
【００５７】
（５）作用・効果
受信装置１００によれば、オーバーサンプリングバッファ１３１から出力される並列受信データ系列Ｄ２は、受信データ単位ＤＵがサンプリングＦＦＴ部１３２に対して同一タイミングにおいて出力される出力方向a１と、受信データ単位ＤＵの受信時刻に沿った時間方向ａ２とによって構成される。また、出力方向a１に沿って隣接して配置される受信データ単位ＤＵ、及び時間方向ａ２に沿って隣接して配置される受信データ単位ＤＵは、受信データ系列Ｄ１上における時間間隔ｂ１、ｂ２が同一である。つまり、並列受信データ系列Ｄ２は、受信データ系列Ｄ１に含まれる受信データ単位ＤＵを繰り返し用いることによって形成される。
【００５８】
すなわち、Interpolator法に基づいて生成されたオーバーサンプリングサンプルのように、受信データ系列をオーバーサンプリングすることによって形成された時間軸方向における空隙に、値が“０”であるサンプリングデータが挿入されることがない。このため、所望のオーバーサンプリングサンプルを生成するために必要となるローパスフィルタの次数を高くする必要がなく、オーバーサンプリングサンプルの生成に関する演算量を抑制できる。さらに、当該演算量が抑制されるため、受信装置１００のハードウェア規模の縮小や消費電力の削減を図ることができる。
【００５９】
また、ローパスフィルタを用いて値が“０”であるサンプリングデータが挿入された受信データ系列に含まれるイメージノイズを減衰させる必要がないため、生成したオーバーサンプリングサンプルと、ディジタル変換される前の受信無線信号との誤差を低減できる。
【００６０】
さらに、並列受信データ系列Ｄ２における受信データ単位ＤＵは等間隔で配置されるため、サンプリングＦＦＴ部１３２におけるフーリエ変換の精度を高めることができる。
【００６１】
（６）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６２】
例えば、上述した実施形態では、チャネルフィルタ部１５０を含めて説明したが、チャネルフィルタ部１５０は、必ずしも受信装置１００に実装されていなくてもよい。例えば、受信装置１００が送受信する無線信号ＲＳがＯＦＤＭ方式に従っている場合、チャネルフィルタ部１５０は受信装置１００に実装されていなくてもよい。
【００６３】
上述した実施形態では、受信装置１００は、オーバーサンプリングバッファ１３１を１系統のみ実装していたが、対応する処理（例えば、同期処理と受信データ系列の復号処理）に応じて、複数のオーバーサンプリングバッファを備えてもよい。また、複数のオーバーサンプリングバッファを備えた場合、サンプリングＦＦＴ部１３２を時分割で切り替えることによって、各オーバーサンプリングバッファから出力される受信データ系列のサンプリングを実行するようにしてもよい。
【００６４】
また、複数のオーバーサンプリングバッファを備えた場合、サンプリングＦＦＴ部１３２も複数備え、複数のサンプリングＦＦＴ部１３２を切り替えることによって、各オーバーサンプリングバッファから出力される受信データ系列のサンプリングを実行するようにしてもよい。このように、受信装置１００が複数のオーバーサンプリングバッファを備えた場合、受信時の同期処理と、ディジタル復調処理や復号処理などの受信処理とを時刻の精度が異なるサンプル信号（例えば、オーバーサンプリングサンプルＳと参照信号）を用いて実行することが可能となる。
【００６５】
上述した実施形態では、並列受信データ系列Ｄ２は、受信データ系列Ｄ１を構成する受信データ単位ＤＵのみを繰り返し利用することによって形成されていたが、並列受信データ系列Ｄ２は、必ずしも受信データ系列Ｄ１を構成する受信データ単位ＤＵのみを繰り返し利用しなくても構わない。例えば、並列受信データ系列Ｄ２の極めて限られた一部に値が“０”であるサンプリングデータが挿入されてもよい。
【００６６】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００６７】
【図１】本発明の実施形態に係る受信装置１００の概略機能ブロック構成図である。
【図２】本発明の実施形態に係るオーバーサンプリングＦＦＴ部１３０の構成図である。
【図３】本発明の実施形態に係る受信装置１００に実装可能なチャネルフィルタ部１５０の構成例を示す図である。
【図４】本発明の実施形態に係る受信装置１００がオーバーサンプリングサンプルＳを用いて同期処理を実行する動作フローを示す図である。
【符号の説明】
【００６８】
１００…受信装置、１１０…無線信号処理部、１１１…アンテナ、１２０…Ａ／Ｄ変換部、１３０…オーバーサンプリングＦＦＴ部、１３１…オーバーサンプリングバッファ、１３２…サンプリングＦＦＴ部、１４１Ａ…チャネル相関器、１４１Ｂ…ピーク検出部、１４１１〜１４１８…チャネライザ、１４２１〜１４２８…タイミング制御部、１４３１〜１４３８…ディジタルベースバンド処理部、１５０…チャネルフィルタ部、a１…出力方向、ａ２…時間方向、ｂ１，ｂ２…時間間隔、Ｄ１…受信データ系列、Ｄ２…並列受信データ系列、Ｓ…オーバーサンプリングサンプル、ＤＵ…受信データ単位、ＲＳ…無線信号
【図１】
2009111791.tif 000003
【図２】
2009111791.tif 000004
【図３】
2009111791.tif 000005
【図４】
2009111791.tif 000006